(57)【要約】【課題】身体の所望の箇所でマッサージ効果を得ることが容易なクッションを提供する。【解決手段】  クッション１は、下側袋体２０と、下側袋体２０上に重ねられた上側袋体１０と、下側袋体２０に充填された粒状の充填物３０と、上側袋体１０に移動可能に収容され、粒状の充填物３０よりも大きい１又は複数のマッサージ用球体４０とを備えている。ここで、上側袋体１０には、マッサージ用球体４０の形状に沿って外側に突出した凸部１１Ｂ及び１１Ｃが形成されている。【選択図】図４
2020182664.tif 000002
【特許請求の範囲】
【請求項１】
第１袋体と、
前記第１袋体と上下方向に重ねられた第２袋体と、
前記第１袋体に充填された粒状の充填物と、
前記第２袋体に移動可能に収容され、前記粒状の充填物よりも大きい１又は複数のマッサージ用球体と
を備える、クッション。
【請求項２】
前記第２袋体は、前記マッサージ用球体の形状に沿って外側に突出するように伸びている、
請求項１に記載のクッション。
【請求項３】
前記マッサージ用球体は、発泡プラスチックで形成される、
請求項１又は２に記載のクッション。
【請求項４】
前記複数のマッサージ用球体の径が異なっている、
請求項１乃至３の何れかに記載のクッション。
【請求項５】
前記複数のマッサージ用球体を収容する収容袋をさらに備え、
前記収容袋が、前記第２袋体に収容されている、
請求項１乃至４の何れかに記載のクッション。
【請求項６】
前記マッサージ用球体の径は、前記粒状の充填物の径の１０倍以上である、
請求項１乃至５の何れかに記載のクッション。
【請求項７】
前記第２袋体の内部は複数の部屋に仕切られ、
前記複数の部屋のそれぞれに前記マッサージ用球体が収容されている、
請求項１乃至６の何れかに記載のクッション。
【請求項８】
前記複数の部屋は、前記マッサージ用球体が通過可能な穴を介して連通している、
請求項７に記載のクッション。
【発明の詳細な説明】
【技術分野】
【０００１】
本発明は、マッサージ効果が得られるクッションに関する。
【背景技術】
【０００２】
特許文献１には、袋状に形成してファスナー等の開閉手段で開閉可能なカバー本体と、当該カバー本体の内側に袋状で形成してファスナー等の開閉手段で開閉可能な装填部と、当該装填部に装填したマッサージ装置とからなるマッサージ装置付のクッションカバーが開示されている。
【先行技術文献】
【特許文献】
【０００３】
【特許文献１】特開２０１３−１０２８６５号公報
【発明の概要】
【発明が解決しようとする課題】
【０００４】
上記文献では、クッションカバーの所定の位置にマッサージ装置が固定されているため、使用者は身体の所望の箇所でマッサージ効果を得ることが困難である。
【０００５】
本発明は斯かる事情に鑑みてなされたものであり、その主たる目的は、身体の所望の箇所でマッサージ効果を得ることが容易なクッションを提供することにある。
【課題を解決するための手段】
【０００６】
上述した課題を解決するために、本発明の一の態様のクッションは、第１袋体と、前記第１袋体と上下方向に重ねられた第２袋体と、前記第１袋体に充填された粒状の充填物と、前記第２袋体に移動可能に収容され、前記粒状の充填物よりも大きい１又は複数のマッサージ用球体とを備える。
【０００７】
この態様において、前記第２袋体は、前記マッサージ用球体の形状に沿って外側に突出するように伸びていてもよい。
【０００８】
上記態様において、前記マッサージ用球体は、発泡プラスチックで形成されてもよい。
【０００９】
上記態様において、前記複数のマッサージ用球体の径が異なっていてもよい。
【００１０】
上記態様において、前記複数のマッサージ用球体を収容する収容袋をさらに備え、前記収容袋が、前記第２袋体に収容されていてもよい。
【００１１】
上記態様において、前記マッサージ用球体の径は、前記粒状の充填物の径の１０倍以上であってもよい。
【００１２】
上記態様において、前記第２袋体の内部は複数の部屋に仕切られ、前記複数の部屋のそれぞれに前記マッサージ用球体が収容されていてもよい。
【００１３】
上記態様において、前記複数の部屋は、前記マッサージ用球体が通過可能な穴を介して連通していてもよい。
【発明の効果】
【００１４】
本発明によれば、身体の所望の箇所でマッサージ効果を得ることが容易となる。
【図面の簡単な説明】
【００１５】
【図１】実施の形態１に係るクッションの構成を示す平面図。
【図２】実施の形態１に係るクッションの構成を示す正面図。
【図３】実施の形態１に係るクッションの構成を示す底面図。
【図４】図１に示すＩＶ−ＩＶ線における断面図。
【図５】実施の形態１の変形例１に係るクッションの構成を示す平面図。
【図６】実施の形態１の変形例２に係るクッションの構成を示す平面図。
【図７】実施の形態２に係るクッションの構成を示す平面図。
【図８】図７に示すＶＩＩＩ−ＶＩＩＩ線における断面図。
【発明を実施するための形態】
【００１６】
以下、本発明の好ましい実施の形態を、図面を参照しながら説明する。
【００１７】
（実施の形態１）
図１は実施の形態１に係るクッションの構成を示す平面図であり、図２はその正面図、図３はその底面図である。また、図４は、図１に示すＩＶ−ＩＶ線における断面図である。クッション１は、平たい形状を有しており、上側主面（図１で見える面）とその逆の下側主面（図３で見える面）を有している。上側主面には、後述する凸部１１Ａ〜１１Ｃが形成されている。
【００１８】
クッション１は、正方形状に形成されており、例えば椅子及びソファなどの背もたれに置かれるクッションなどとして使用される。クッション１は、上側袋体（請求項における第２袋体に相当）２０と、下側袋体（請求項における第１袋体に相当）３０と、下側袋体２０の内部に充填された粒状の充填物３０と、上側袋体１０の内部に収容されたマッサージ用球体４０とを備えている。
【００１９】
上側袋体１０及び下側袋体２０は、上下方向に重ねられている。図４に示すように、上側袋体１０が上側主面を構成する上側生地１１を有する一方、下側袋体２０が下側主面を構成する下側生地２１を有している。これらの上側生地１１及び下側生地２１の間には、中間生地１２が設けられている。
【００２０】
上側袋体１０は、上側生地１１と中間生地１２とが縫合されることにより形成されている。そのため、上側生地１１と中間生地１２との間の領域が、上側袋体１０の内部となる。他方、下側袋体２０は、中間生地１２と下側生地２１とが縫合されることにより形成されている。そのため、中間生地１２と下側生地２１との間の領域が、下側袋体２０の内部となる。
【００２１】
上側生地１１、中間生地１２、及び下側生地２１は、例えばポリウレタン弾性繊維等の伸縮性を有する生地である。但し、これらの生地のうちの少なくとも１つが、ポリエステル繊維等の伸縮性に乏しい生地であってもよく、伸縮性を有していない生地であっても構わない。
【００２２】
粒状の充填物３０は、下側袋体２０に張力が生じつつ下側袋体２０が変形可能な程度に、下側袋体２０の内部に充填されている。粒状の充填物３０は、同一の形状、大きさ、及び材料で形成された、例えば直径０．１〜１ｍｍ程度の球形の粒状物である。粒状の充填物３０は、例えばポリエチレン又はポリスチレン等の発泡プラスチックで形成される。
【００２３】
これに限らず、粒状の充填物３０は、そば殻であってもよいし、プラスチック製のパイプ状小片であってもよいし、粒状に加工されたポリエステル綿であってもよい。なお、粒状の充填物３０は、形状、大きさ、及び材料の少なくとも１つが互いに異なってもよい。
【００２４】
マッサージ用球体４０は、粒状の充填物３０よりも大きく、例えば直径１０〜５０ｍｍ程度の球状物である。具体的には、マッサージ用球体４０の直径は、粒状の充填物３０の直径の１０倍以上（若しくは１０倍超過）、さらには２０倍以上であることが好ましい。マッサージ用球体４０の数は、図示の例では３つであるが、これに限らず、１、２又は４以上であってもよい。
【００２５】
マッサージ用球体４０は、例えばポリエチレン又はポリスチレン等の発泡プラスチックで形成される。具体的には、マッサージ用球体４０は、発泡プラスチックを金型で球状に成形したものであることが好ましい。これに限らず、マッサージ用球体４０は木製等であってもよい。また、マッサージ用球体４０は、形状、大きさ、及び材料の少なくとも１つが互いに異なってもよい。なお、例えば径が異なるマッサージ用球体４０が設けられている場合、患部に異なる刺激を与えることができるという効果が生じる。
【００２６】
マッサージ用球体４０は、マッサージ効果を得るために適度な硬さを有している。具体的には、マッサージ用球体４０は、粒状の充填物３０よりも硬いことが好ましい。マッサージ用球体４０を発泡プラスチックで形成する場合、発泡プラスチックを金型で球状に成形することにより、適度な硬さと適度な弾性とを両立させることが可能である。
【００２７】
マッサージ用球体４０によって上側袋体１０には張力が生じ、伸ばされた状態となる。その結果、上側袋体１０を形成している上側生地１１及び中間生地１２によってマッサージ用球体４０が締め付けられ、マッサージ用球体４０の移動が制限される。他方、使用者が上側生地１１を指で把持して引っ張ることによってこの締め付けがなくなると、マッサージ用球体４０は上側袋体１０の内部を移動することが可能になる。使用者はこの状態でマッサージ用球体４０を所望の位置に移動させた後、上側生地１１から指を離すことにより、上記の締め付け作用でマッサージ用球体４０を固定させることができる。
【００２８】
また、本実施の形態の場合、上側袋体１０を構成する上側生地１１は、マッサージ用球体４０の形状に沿って上側に突出するように伸びている。これにより、凸部１１Ａ〜１１Ｃが形成されている。そのため、図示のとおり、クッション１を上方から見ると、マッサージ用球体４０がどの位置にあるのかを容易に把握することができる。よって、使用者は、クッション１を椅子等の上にどのように配置させれば腰部などの患部にマッサージ用球体４０を当接させることができるのかを容易に把握することができる。
【００２９】
なお、本実施の形態では上記のとおり上側主面に凸部１１Ａ〜１１Ｃが形成されているが、本発明はこれに限定されるわけではない。マッサージ用球体４０の全体が下側袋体２０の内側に埋もれた状態になることによって、上側主面に凸部１１Ａ〜１１Ｃが形成されていなくてもよい。この場合でも、クッション１に患部を押し当てることによってマッサージ効果を得ることができる。
【００３０】
（変形例）
図５は、本実施の形態の変形例１に係るクッションを示す平面図である。この変形例に係るクッション２は、上側生地１１と中間生地１２とを綴じた中綴じ部１３を有している。図５に示す例では、クッション２の中央部において左右方向に伸びる１つの中綴じ部１３が形成されているが、その数及び箇所はこれに限定されるわけではない。
【００３１】
上側袋体１０の内部は、中綴じ部１３によって２つの部屋１４に仕切られている。これらの２つの部屋１４は、中綴じ部１３によって形成された２つの穴１５を介して連通している。  
【００３２】
これらの穴１５は、マッサージ用球体４０が通過可能な大きさに形成されている。但し、マッサージ用球体４０は、穴１５と大きさが近いため、穴１５を通過し難くなっている。そのため、使用者がクッション２を使用している間にマッサージ用球体４０が他の部屋に移動することは制限される。その一方で、使用者は、マッサージ用球体４０を穴１５から別の部屋１４に移動させて使用することも可能である。
【００３３】
図６は、本実施の形態の変形例２に係るクッション３を示す平面図である。この変形例２に係るクッション３は、変形例１の場合と同様に中綴じ部１３を有しているが、変形例１の場合よりもその長さが大きく、それに伴って穴１５の大きさが小さくなっている。より具体的には、穴１５が、マッサージ用球体４０が通過不能な大きさに形成されている。その結果、マッサージ用球体４０が位置する範囲（部屋１４）を限定し、使用者はその範囲内でマッサージ用球体４０を移動させて使用することが可能になる。なお、この変形例２においては、複数の部屋１４が連通していない構成であってもよい。
【００３４】
上記の変形例では、中綴じ部１３が上側生地１１と中間生地１２とを綴じているが、中綴じ部１３がさらに下側生地２１を綴じるようにしてもよい。これにより、下側袋体２０の内部も中綴じ部１３によって複数の部屋に仕切られることになる。その場合、粒状の充填物３０は、中綴じ部１３によって下側袋体２０内に形成された穴から他の部屋へ移動することは可能になるものの、中綴じ部１３が設けられていない場合と比べると移動は制限されるため、充填物３０が局所的に偏ることを防止することができる。
【００３５】
なお、上記の場合、上側袋体１０及び下側袋体２０は同じ中綴じ部１３によって綴じられているが、異なる中綴じ部によって別々に綴じられていてもよい。その場合、それぞれの中綴じ部は互いに異なる位置に設けられていてもよい。
【００３６】
（実施の形態２）
図７は、実施の形態２に係るクッションの構成を示す平面図である。また図８は、図１７示すＶＩＩＩ−ＶＩＩＩ線における断面図である。このクッション４の上側主面には、実施の形態１の場合の凸部１１Ａの代わりに２つの凸部１１Ａａ及び１１Ａｂが形成されている。
【００３７】
図８に示すように、凸部１１Ａａ及び１１Ａｂは、２つのマッサージ用球体４０ａ及び４０ｂによって形成されている。より詳細について説明すると、クッション４は、実施の形態１におけるマッサージ用球体４０と同様のマッサージ用球体４０ａと、マッサージ用球体４０ａよりも小さいマッサージ用球体４０ｂとを備えている。マッサージ用球体４０ｂは、マッサージ用球体４０ａと同様の材質で形成されている。
【００３８】
マッサージ用球体４０ａ及び４０ｂは、１つの収容袋４１に収容されている。収容袋４１は、上側生地１１等と同様に伸縮性を有する生地で構成された袋体である。この収容袋４１が上側袋体１０の内部に収容されている。
【００３９】
なお、クッション４のその他の構成については、実施の形態１のクッション１の場合と同様であるため、同一符号を付して説明を省略する。
【００４０】
本実施の形態の場合、２つのマッサージ用球体４０ａ及び４０ｂが収容袋４１に収容されているため、上側袋体１０内でいずれか一方のマッサージ用球体を移動させた場合、他方のマッサージ用球体もそれに伴って移動することになる。これにより、２つのマッサージ用球体４０ａ及び４０ｂを容易に移動させることが可能になる。
【００４１】
本実施の形態では、収容袋４１に収容されているマッサージ用球体の数が２つであるが、これに限定されるわけではなく、３つ以上であってもよい。また、収容袋４１に収容されている複数のマッサージ用球体の大きさが異なっているが、同じであっても構わない。
【００４２】
以上、本発明の実施の形態について説明したが、本発明は以上に説明した実施の形態に限定されるものではなく、種々の変更が当業者にとって可能であることはもちろんである。
【産業上の利用可能性】
【００４３】
本発明のクッションは、マッサージ効果が得られるクッションとして有用である。
【符号の説明】
【００４４】
１〜４  クッション
１０  上側袋体
１１  上側生地
１１Ａ〜１１Ｃ  凸部
１２  中間生地
１３  中綴じ部
１４  部屋
１５  穴
２０  下側袋体
２１  下側生地
３０  充填物
４０，４０ａ，４０ｂ  マッサージ用球体
４１  収容袋
【図１】
2020182664.tif 000003
【図２】
2020182664.tif 000004
【図３】
2020182664.tif 000005
【図４】
2020182664.tif 000006
【図５】
2020182664.tif 000007
【図６】
2020182664.tif 000008
【図７】
2020182664.tif 000009
【図８】
2020182664.tif 000010